(57)【特許請求の範囲】
【請求項１】
公営競技での投票券の購入要求を行う投票端末装置であって、
表示部と、
外部へデータを送信する送信部と、
会員による、投票時の参考とされる上位層会員の条件選択に係る入力に応じて、前記上位層会員の条件を選択する選択部と、
を含み、
前記送信部は、会員による投票券の購入要求に係る入力に応じた当該会員の会員識別情報と投票内容を示す投票データ、又は、前記選択部により選択された条件、を外部へ送信し、
前記表示部は、前記選択部により選択された条件を満たす上位層会員の投票オッズを、外部から送信された、前記選択部により選択された条件を満たす上位層会員の投票データに基づいて算出された投票オッズの情報に基づいて、表示する、
ことを特徴とする投票端末装置。
【請求項２】
前記表示部は、前記選択部により選択された条件を満たす上位層会員の投票オッズを、外部から送信された、前記選択部により選択された条件を満たす上位層会員の投票データに基づいて算出された投票オッズの情報に基づいて、人気順に表示する、
ことを特徴とする請求項１記載の投票端末装置。
【請求項３】
前記表示部に表示されている前記上位層会員の投票オッズを、最新の前記上位層会員の投票オッズへ更新する更新部、
を更に含むことを特徴とする請求項１又は２記載の投票端末装置。
【請求項４】
前記選択部により選択される前記上位層会員の条件は、投票券の購入年数が所定年数以上であるという条件、過去の投票における的中率が所定の的中率以上であるという条件、及び、過去の所定期間における的中金額の合計が所定額以上であるという条件、の何れか一つ以上を含む、
ことを特徴とする請求項１乃至３の何れか一項に記載の投票端末装置。
【請求項５】
公営競技での投票券の購入要求を行う投票端末装置と、
前記投票券の購入要求に応じた処理を行う集計装置と、
投票システムを利用する会員毎の、会員識別情報と過去の投票明細データとを含む会員情報を記憶する会員管理データベースと、
前記会員管理データベースに記憶される会員情報を管理する会員管理端末装置と、
を含む前記投票システムであって、
前記投票端末装置は、
会員による、投票券の購入要求に係る入力に応じて、当該会員の会員識別情報と投票内容を示す投票データとを、前記集計装置へ送信する第１の送信部と、
会員による、投票時の参考とされる上位層会員の条件選択に係る入力に応じて、前記上位層会員の条件を選択する選択部と、
前記選択部により選択された条件を前記会員管理端末装置へ送信する第２の送信部と、
前記選択部により選択された条件を満たす上位層会員の投票オッズを、前記会員管理端末装置により送信された投票オッズの情報に基づいて、人気順に表示する表示部と、
を含み、
前記集計装置は、
前記会員管理端末装置により送信された会員識別情報を記憶する記憶部と、
前記投票端末装置の第１の送信部により投票データと共に送信された会員識別情報と一致する会員識別情報が前記記憶部に記憶されているか否かを判定する判定部と、
前記判定部により、前記投票端末装置の第１の送信部により投票データと共に送信された会員識別情報と一致する会員識別情報が前記記憶部に記憶されている、と判定されたときに、前記投票端末装置の第１の送信部により送信された会員識別情報と投票データとを前記会員管理端末装置へ送信する送信部と、
を含み、
前記会員管理端末装置は、
前記会員管理データベースから、全会員の会員識別情報と過去の投票明細データとを取得する取得部と、
前記取得部により取得された全会員の会員識別情報と過去の投票明細データとから、投票時の参考とされ得る上位層会員の条件を満たす会員の会員識別情報と過去の投票明細データとを抽出する抽出部と、
前記抽出部により抽出された会員の会員識別情報と過去の投票明細データとを記憶する第１の記憶部と、
前記抽出部により抽出された会員の会員識別情報を前記集計装置へ送信する第１の送信部と、
前記集計装置の送信部により送信された会員識別情報と投票データとを記憶する第２の記憶部と、
前記第１の記憶部に記憶されている会員の会員識別情報と過去の投票明細データとから、前記投票端末装置の第２の送信部により送信された条件を満たす会員の会員識別情報を抽出し、当該抽出した会員識別情報の中に含まれる会員識別情報に対応する投票データを前記第２の記憶部から読み出し、当該読み出した投票データに基づいて投票オッズを算出する算出部と、
前記算出部により算出された投票オッズの情報を前記投票端末装置へ送信する第２の送信部と、
を含む、
ことを特徴とする投票システム。
【請求項６】
公営競技での投票券の購入要求を行う投票端末装置と、
前記投票券の購入要求に応じた処理を行う集計装置と、
投票システムを利用する会員毎の、会員識別情報と過去の投票明細データとを含む会員情報を記憶する会員管理データベースと、
前記会員管理データベースに記憶される会員情報を管理する会員管理端末装置と、
を含む前記投票システムの投票方法であって、
前記会員管理端末装置は、
前記会員管理データベースから、全会員の会員識別情報と過去の投票明細データとを取得し、
取得された全会員の会員識別情報と過去の投票明細データとから、投票時の参考とされ得る上位層会員の条件を満たす会員の会員識別情報と過去の投票明細データとを抽出し、
抽出された会員の会員識別情報と過去の投票明細データとを当該会員管理端末装置の第１の記憶部に記憶し、
抽出された会員の会員識別情報を前記集計装置へ送信し、
前記集計装置は、
前記会員管理端末装置により送信された会員識別情報を当該集計装置の記憶部に記憶し、
前記投票端末装置は、
会員による、投票券の購入要求に係る入力に応じて、当該会員の会員識別情報と投票内容を示す投票データとを、前記集計装置へ送信し、
前記集計装置は、
前記投票端末装置により投票データと共に送信された会員識別情報と一致する会員識
別情報が当該集計装置の前記記憶部に記憶されているか否かを判定し、
前記投票端末装置により投票データと共に送信された会員識別情報と一致する会員識別情報が当該集計装置の前記記憶部に記憶されている、と判定されたときに、前記投票端末装置により送信された会員識別情報と投票データとを前記会員管理端末装置へ送信し、
前記会員管理端末装置は、
前記集計装置により送信された会員識別情報と投票データとを当該会員管理端末装置の第２の記憶部に記憶し、
前記投票端末装置は、
会員による、投票時の参考とされる上位層会員の条件選択に係る入力に応じて、前記上位層会員の条件を選択し、
選択された条件を前記会員管理端末装置へ送信し、
前記会員管理端末装置は、
当該会員管理端末装置の前記第１の記憶部に記憶されている会員の会員識別情報と過去の投票明細データとから、前記投票端末装置により送信された条件を満たす会員の会員識別情報を抽出し、当該抽出した会員識別情報の中に含まれる会員識別情報に対応する投票データを当該会員管理端末装置の前記第２の記憶部から読み出し、当該読み出した投票データに基づいて投票オッズを算出し、
算出された投票オッズの情報を前記投票端末装置へ送信し、
前記投票端末装置は、
選択された前記条件を満たす上位層会員の投票オッズを、前記会員管理端末装置により送信された投票オッズの情報に基づいて、人気順に表示する、
ことを特徴とする投票方法。
【発明の詳細な説明】
【技術分野】
【０００１】
本発明は、競馬、競輪、競艇、オートレース等の公営競技での投票券の購入等に用いられる、投票端末装置、投票システム、及び投票方法に関する。
【背景技術】
【０００２】
従来、競馬、競輪、競艇、オートレース等の公営競技での投票券の購入等に用いられるシステムとして、投票システムがある。
投票システムは、例えば、予め会員登録された会員の過去の入金、出金、投票、及び払戻等に関する取引明細データを管理するための管理装置や、投票券の購入等を行うための投票端末装置等を備えており、会員は、投票端末装置を操作することによって投票券の購入を行うことができる。
【０００３】
なお、インターネット上で公営競技の予想を公開するサイトにおいて、予想者の客観的な信頼性を画像で表示することによって、当該サイトの閲覧者が予想者の信頼性を視覚的に認識して、その予想を参考とすることができるようにしたシステムが知られている（例えば特許文献１参照）。
【先行技術文献】
【特許文献】
【０００４】
【特許文献１】特開２０１０−１６０６１２号公報
【発明の概要】
【発明が解決しようとする課題】
【０００５】
ところで、上記の投票システムでは、投票時の参考になる条件を満たす会員のみによる投票動向に関する情報を入手することは困難であり、また、そのような情報をリアルタイムに入手することはできない。なお、投票時の参考になる条件とは、例えば、購入年数が所定年数以上であるという条件や、過去の投票における的中率が所定の的中率以上であるという条件や、過去の所定期間における的中金額の合計が所定額以上であるという条件等である。
【０００６】
本発明は、上記実情に鑑み、公営競技での投票時の参考になる条件を満たす会員の投票動向に関する情報をリアルタイムに提供することができる、投票端末装置、投票システム、及び投票方法を提供することを目的とする。
【課題を解決するための手段】
【０００７】
装置の一観点によれば、公営競技での投票券の購入要求を行う投票端末装置であって、表示部と、外部へデータを送信する送信部と、会員による、投票時の参考とされる上位層会員の条件選択に係る入力に応じて、前記上位層会員の条件を選択する選択部と、を含み、前記送信部は、会員による投票券の購入要求に係る入力に応じた当該会員の会員識別情報と投票内容を示す投票データ、又は、前記選択部により選択された条件、を外部へ送信し、前記表示部は、前記選択部により選択された条件を満たす上位層会員の投票オッズを、外部から送信された、前記選択部により選択された条件を満たす上位層会員の投票データに基づいて算出された投票オッズの情報に基づいて、表示する。
【０００８】
システムの一観点によれば、公営競技での投票券の購入要求を行う投票端末装置と、前記投票券の購入要求に応じた処理を行う集計装置と、投票システムを利用する会員毎の、会員識別情報と過去の投票明細データとを含む会員情報を記憶する会員管理データベースと、前記会員管理データベースに記憶される会員情報を管理する会員管理端末装置と、を含む前記投票システムであって、前記投票端末装置は、会員による、投票券の購入要求に係る入力に応じて、当該会員の会員識別情報と投票内容を示す投票データとを、前記集計装置へ送信する第１の送信部と、会員による、投票時の参考とされる上位層会員の条件選択に係る入力に応じて、前記上位層会員の条件を選択する選択部と、前記選択部により選択された条件を前記会員管理端末装置へ送信する第２の送信部と、前記選択部により選択された条件を満たす上位層会員の投票オッズを、前記会員管理端末装置により送信された投票オッズの情報に基づいて、人気順に表示する表示部と、を含み、前記集計装置は、前記会員管理端末装置により送信された会員識別情報を記憶する記憶部と、前記投票端末装置の第１の送信部により投票データと共に送信された会員識別情報と一致する会員識別情報が前記記憶部に記憶されているか否かを判定する判定部と、前記判定部により、前記投票端末装置の第１の送信部により投票データと共に送信された会員識別情報と一致する会員識別情報が前記記憶部に記憶されている、と判定されたときに、前記投票端末装置の第１の送信部により送信された会員識別情報と投票データとを前記会員管理端末装置へ送信する送信部と、を含み、前記会員管理端末装置は、前記会員管理データベースから、全会員の会員識別情報と過去の投票明細データとを取得する取得部と、前記取得部により取得された全会員の会員識別情報と過去の投票明細データとから、投票時の参考とされ得る上位層会員の条件を満たす会員の会員識別情報と過去の投票明細データとを抽出する抽出部と、前記抽出部により抽出された会員の会員識別情報と過去の投票明細データとを記憶する第１の記憶部と、前記抽出部により抽出された会員の会員識別情報を前記集計装置へ送信する第１の送信部と、前記集計装置の送信部により送信された会員識別情報と投票データとを記憶する第２の記憶部と、前記第１の記憶部に記憶されている会員の会員識別情報と過去の投票明細データとから、前記投票端末装置の第２の送信部により送信された条件を満たす会員の会員識別情報を抽出し、当該抽出した会員識別情報の中に含まれる会員識別情報に対応する投票データを前記第２の記憶部から読み出し、当該読み出した投票データに基づいて投票オッズを算出する算出部と、前記算出部により算出された投票オッズの情報を前記投票端末装置へ送信する第２の送信部と、を含む。
【０００９】
方法の一観点によれば、公営競技での投票券の購入要求を行う投票端末装置と、前記投票券の購入要求に応じた処理を行う集計装置と、投票システムを利用する会員毎の、会員識別情報と過去の投票明細データとを含む会員情報を記憶する会員管理データベースと、前記会員管理データベースに記憶される会員情報を管理する会員管理端末装置と、を含む前記投票システムの投票方法であって、前記会員管理端末装置は、前記会員管理データベースから、全会員の会員識別情報と過去の投票明細データとを取得し、取得された全会員の会員識別情報と過去の投票明細データとから、投票時の参考とされ得る上位層会員の条件を満たす会員の会員識別情報と過去の投票明細データとを抽出し、抽出された会員の会員識別情報と過去の投票明細データとを当該会員管理端末装置の第１の記憶部に記憶し、抽出された会員の会員識別情報を前記集計装置へ送信し、前記集計装置は、前記会員管理端末装置により送信された会員識別情報を当該集計装置の記憶部に記憶し、前記投票端末装置は、会員による、投票券の購入要求に係る入力に応じて、当該会員の会員識別情報と投票内容を示す投票データとを、前記集計装置へ送信し、前記集計装置は、前記投票端末装置により投票データと共に送信された会員識別情報と一致する会員識別情報が当該集計装置の前記記憶部に記憶されているか否かを判定し、前記投票端末装置により投票データと共に送信された会員識別情報と一致する会員識別情報が当該集計装置の前記記憶部に記憶されている、と判定されたときに、前記投票端末装置により送信された会員識別情報と投票データとを前記会員管理端末装置へ送信し、前記会員管理端末装置は、前記集計装置により送信された会員識別情報と投票データとを当該会員管理端末装置の第２の記憶部に記憶し、前記投票端末装置は、会員による、投票時の参考とされる上位層会員の条件選択に係る入力に応じて、前記上位層会員の条件を選択し、選択された条件を前記会員管理端末装置へ送信し、前記会員管理端末装置は、当該会員管理端末装置の前記第１の記憶部に記憶されている会員の会員識別情報と過去の投票明細データとから、前記投票端末装置により送信された条件を満たす会員の会員識別情報を抽出し、当該抽出した会員識別情報の中に含まれる会員識別情報に対応する投票データを当該会員管理端末装置の前記第２の記憶部から読み出し、当該読み出した投票データに基づいて投票オッズを算出し、算出された投票オッズの情報を前記投票端末装置へ送信し、前記投票端末装置は、選択された前記条件を満たす上位層会員の投票オッズを、前記会員管理端末装置により送信された投票オッズの情報に基づいて、人気順に表示する。
【発明の効果】
【００１０】
開示の装置、システム、及び方法は、公営競技での投票時の参考になる条件を満たす会員の投票動向に関する情報をリアルタイムに提供することができる、という効果を奏する。
【図面の簡単な説明】
【００１１】
【図１】一実施の形態に係る投票システムの概要を示す図である。
【図２】一実施の形態に係る投票システムに含まれる装置の構成例を詳細に示す図である。
【図３Ａ】一実施の形態に係る投票システムにおいて送信される通信データのデータフォーマットの一例を示す図である。
【図３Ｂ】一実施の形態に係る投票システムにおいて送信される通信データのデータフォーマットの一例を示す図である。
【図４Ａ】一実施の形態に係る投票システムの動作例を示すフローチャートである。
【図４Ｂ】一実施の形態に係る投票システムの動作例を示すフローチャートである。
【図４Ｃ】一実施の形態に係る投票システムの動作例を示すフローチャートである。
【図５Ａ】一実施の形態に係る投票システムにおいて送信される通信データの一例である。
【図５Ｂ】一実施の形態に係る投票システムにおいて送信される通信データの一例である。
【図６】投票端末装置の表示部に表示される表示画面の一例である。
【図７】投票端末装置の表示部に表示される表示画面の一例である。
【図８】コンピュータシステムの構成例を示す図である。
【発明を実施するための形態】
【００１２】
以下、図面を参照しながら本発明の実施の形態を説明する。
図１は、本発明の一実施の形態に係る投票システムの概要を示す図である。
なお、以下の説明では、この投票システムが、公営競技としての競馬での投票券の購入等に用いられるものとするが、例えば競輪、競艇、オートレース等の他の公営競技での投票券の購入等に用いられるものとすることも勿論可能である。
【００１３】
図１に示したように、本実施形態に係る投票システムは、投票券の購入要求等を行う投票端末装置１００と、投票券の購入要求に応じた処理等を行う集計装置２００と、当該投票システムを利用する会員毎の、会員番号（会員識別情報の一例）と過去の投票明細データと口座情報等を含む会員情報を記憶する会員管理データベース（以下「会員管理ＤＢ」という）３００と、会員管理ＤＢ３００に記憶される会員情報の管理等を行う会員管理端末装置４００とを含む。集計装置２００は、会員の口座情報の管理等を行う口座情報管理部２１０と、投票集計等を行う投票集計部２２０を含む。
【００１４】
なお、本実施形態に係る投票システムは、図１に示した構成に限らず、例えば、投票端末装置１００を複数含む構成とすることも勿論可能である。
図１において、本実施形態に係る投票システムでは、各装置間で例えば次のようなやり取りが行われる。
【００１５】
投票端末装置１００は、当該投票システムの利用者である会員の入力操作に応じて、集計装置２００に対し、投票（投票券の購入）、減算（購入した投票券のキャンセル）、口座照会、取引明細照会等の要求信号を送信し（Ｓ１）、その応答として、投票結果、減算結果、口座情報、取引明細等の通知信号を受信する（Ｓ２）。なお、Ｓ１で送信される要求信号には、入力操作を行った会員の会員番号が含まれる。例えば、投票の要求信号には、入力操作を行った会員の会員番号と投票内容を示す投票データが含まれる。
【００１６】
また、投票端末装置１００は、会員の入力操作に応じて、会員管理端末装置４００に対し、条件別投票動向の照会要求信号を送信し（Ｓ３）、その応答として、条件別投票動向の通知信号を受信する（Ｓ４）。なお、条件別投票動向とは、会員による投票時の参考とされる上位層会員の条件を満たす会員の投票動向のことである。ここで、その上位層会員の条件とは、例えば、投票券の購入年数が所定年数以上（例えば１０年以上）であるという条件、過去の投票における的中率が所定の的中率以上（例えば７０％以上）であるという条件、及び、過去の所定期間（例えば現時点から過去一ヶ月内）における的中金額の合計が所定額以上（例えば１００万円以上）であるという条件、の何れか一つ以上を含む。Ｓ３で送信される照会要求信号には、会員による投票時の参考とされる上位層会員の条件の情報が含まれる。また、Ｓ４で受信する通知信号には、その上位層会員の投票オッズの情報が含まれる。
【００１７】
集計装置２００においては、投票集計部２２０が、口座情報管理部２１０に対し、口座情報更新に係る情報を送信し（Ｓ５）、その口座情報更新の結果である、口座情報の通知信号を受信する（Ｓ６）。
【００１８】
また、集計装置２００は、会員管理ＤＢ３００に対し、口座情報、取引明細等の要求信号を送信し（Ｓ７）、その応答として、口座情報、取引明細等の通知信号を受信する（Ｓ８）。また、集計装置２００は、会員管理ＤＢ３００に対し、会員情報更新に係るデータ（会員の投票、減算等の取引情報や更新された口座情報等）を送信する（Ｓ７）。また、集計装置２００は、会員管理端末装置４００に対し、投票時の参考とされ得る上位層会員の、投票内容を示す投票データや減算内容を示す減算データ、を含む通知信号を送信する（Ｓ９）。
【００１９】
会員管理端末装置４００は、会員管理ＤＢ３００に対し、会員情報の登録要求信号を送信する（Ｓ１０）。また、会員管理端末装置４００は、会員管理ＤＢ３００に対し、全会員の会員番号と過日の投票明細データの照会要求信号を送信し（Ｓ１０）、その応答として、全会員の会員番号と過日の投票明細データとを含む通知信号を受信する（Ｓ１１）。また、会員管理端末装置４００は、集計装置２００に対し、投票時の参考とされ得る上位層会員の条件を満たす会員の会員番号を含む通知信号を送信する（Ｓ１２）。
【００２０】
図２は、本実施形態に係る投票システムに含まれる装置の構成例を詳細に示す図である。
図２に示したように、投票端末装置１００は、表示部１１０、入力部１２０、処理部１３０、記憶部１４０、通信部１５０を含む。
【００２１】
表示部１１０は、投票券の購入に係る情報や、投票時の参考とされる上位層会員の投票動向などを表示する。例えば、その上位層会員の投票動向として、上位層会員の投票オッズを人気順に表示する。
【００２２】
入力部１２０は、会員による各種入力を受け付ける。例えば、投票要求に係る入力、減算要求に係る入力、口座照会要求に係る入力、取引明細照会要求に係る入力、条件別投票動向照会要求に係る入力（投票時の参考とされる上位層会員の条件選択に係る入力を含む）等を受け付ける。なお、これらの各要求に係る入力では、会員番号の入力も受け付ける。
【００２３】
処理部１３０は、投票要求処理部１３１、減算要求処理部１３２、口座照会要求処理部１３３、取引明細照会要求処理部１３４、条件別投票動向照会要求処理部１３５を含み、各種の処理を行う。
【００２４】
投票要求処理部１３１は、入力部１２０により受け付けられた投票要求に係る入力に応じて、会員番号と投票内容を示す投票データとを含む投票要求信号を通信部１５０により集計装置２００へ送信するように処理を行う。
【００２５】
減算要求処理部１３２は、入力部１２０により受け付けられた減算要求に係る入力に応じて、会員番号と減算内容を示す減算データと含む減算要求信号を通信部１５０により集計装置２００へ送信するように処理を行う。
【００２６】
口座照会要求処理部１３３は、入力部１２０により受け付けられた口座照会要求に係る入力に応じて、口座照会要求信号を通信部１５０により集計装置２００へ送信するように処理を行う。
【００２７】
取引明細照会要求処理部１３４は、入力部１２０により受け付けられた取引明細照会要求に係る入力に応じて、取引明細照会要求信号を通信部１５０により集計装置２００へ送信するように処理を行う。
【００２８】
条件別投票動向照会要求処理部１３５は、入力部１２０により受け付けられた条件別投票動向照会要求に係る入力に応じて、投票時の参考とされる上位層会員の条件を選択し、当該条件を含む条件別投票動向照会要求信号を通信部１５０により会員管理端末装置４００へ送信するように処理を行う。なお、条件別投票動向照会要求処理部１３５は、投票端末装置の選択部の一例である。
【００２９】
記憶部１４０は、開催情報、投票券の購入に係る情報、投票時の参考とされる上位層会員の投票動向に係る情報等を記憶する。
通信部１５０は、外部装置との間で通信を行う。なお、通信部１５０は、投票端末装置の第１の送信部と第２の送信部の一例である。
【００３０】
集計装置２００において、口座情報管理部２１０は、金額情報受信部２１１、処理部２１２、記憶部２１３、通信部２１４を含む。
金額情報受信部２１１は、投票集計部２２０により送信された、会員番号と投票データに含まれる金額情報、会員番号と減算データに含まれる金額情報を受信する。
【００３１】
処理部２１２は、口座更新処理部２１２ａを含み、各種の処理を行う。
口座更新処理部２１２ａは、金額情報受信部２１１により受信された会員番号と投票データに含まれる金額情報、会員番号と減算データに含まれる金額情報に基づいて、記憶部２１３に記憶されている、対応する会員の口座情報を更新する。なお、対応する会員の口座情報が記憶部２１３に記憶されていない場合には、会員管理ＤＢ３００に対し、通信部２１４を介して、対応する会員の口座情報の要求信号を送信し、その応答として、対応する会員の口座情報を受信し、それを更新して記憶部２１３に記憶する。また、口座更新処理部２１２ａは、対応する会員の口座情報を更新すると、その更新結果である口座情報の通知信号を通信部２１４により投票集計部２２０へ送信するように処理を行う。
【００３２】
記憶部２１３は、会員の口座情報を記憶する。
通信部２１４は、外部装置との間で通信を行う。
また、集計装置２００において、投票集計部２２０は、投票／減算要求受信部２２１、処理部２２２、記憶部２２３、通信部２２４を含む。
【００３３】
投票／減算要求受信部２２１は、投票端末装置１００により送信された投票要求信号、減算要求信号を受信する。
処理部２２２は、投票処理部２２２ａ、減算処理部２２２ｂ、会員番号比較処理部２２２ｃを含み、各種の処理を行う。
【００３４】
投票処理部２２２ａは、投票／減算要求受信部２２１により受信された投票要求信号に含まれる会員番号と投票データとに基づいて、投票可否の判定を行う。ここで、投票可と判定した場合には、投票要求信号に含まれる会員番号と投票データとを記憶部２２３の第１の記憶領域に記憶すると共に、その会員番号と投票データに含まれる金額情報とを通信部２２４により口座情報管理部２１０へ送信するように処理を行う。また、投票可否の判定結果を通信部２２４により投票端末装置１００へ送信するように処理を行う。また、投票可否の判定結果を会員番号比較処理部２２２ｃへ通知する。なお、口座情報管理部２１０へ送信される会員番号と投票データに含まれる金額情報は、口座情報更新に係る情報でもある。また、投票端末装置１００へ送信される投票可否の判定結果は、投票結果の通知信号でもある。
【００３５】
減算処理部２２２ｂは、投票／減算要求受信部２２１により受信された減算要求信号に含まれる会員番号と減算データとに基づいて、減算可否の判定を行う。ここで、減算可と判定した場合には、減算要求信号に含まれる会員番号に対応する会員番号と投票データとを記憶部２２３の第１の記憶領域から削除すると共に、減算要求信号に含まれる会員番号と減算データとを記憶部２２３の第１の記憶領域に記憶し、更に、その会員番号と減算データに含まれる金額情報とを通信部２２４により口座情報管理部２１０へ送信するように処理を行う。また、減算可否の判定結果を通信部２２４により投票端末装置１００へ送信するように処理を行う。また、減算可否の判定結果を会員番号比較処理部２２２ｃへ通知する。なお、口座情報管理部２１０へ送信される会員番号と減算データに含まれる金額情報は、口座情報更新に係る情報でもある。また、投票端末装置１００へ送信される減算可否の判定結果は、減算結果の通知信号でもある。
【００３６】
会員番号比較処理部２２２ｃは、投票／減算要求受信部２２１により受信された要求信号に含まれる会員番号が、記憶部２２３の第２の記憶領域に記憶されている、投票時の参考とされ得る上位層会員の会員番号の中に含まれているか否かを判定する。ここで、例えば、投票要求信号に含まれる会員番号が記憶部２２３の第２の記憶領域に記憶されている会員番号の中に含まれていると判定された場合であって、且つ、投票処理部２２２ａにより通知された判定結果が投票可の判定結果であった場合には、当該投票要求信号に含まれる会員番号及び投票データを含む通知信号を通信部２２４により会員管理端末装置４００へ送信するように処理を行う。また、例えば、減算要求信号に含まれる会員番号が記憶部２２３の第２の記憶領域に記憶されている会員番号の中に含まれていると判定された場合であって、且つ、減算処理部２２２ｂにより通知された判定結果が減算可の判定結果であった場合には、当該減算要求信号に含まれる会員番号及び減算データとを含む通知信号を通信部２２４により会員管理端末装置４００へ送信するように処理を行う。なお、会員番号比較処理部２２２ｃは、集計装置の判定部の一例である。
【００３７】
記憶部２２３は、第１の記憶領域と第２の記憶領域を含む。第１の記憶領域は、投票処理部２２２ａによって記憶された会員番号と投票データとを記憶すると共に、減算処理部２２２ｂによって記憶された会員番号と減算データとを記憶する。第２の記憶領域は、会員管理端末装置４００によって送信された、投票時の参考とされ得る上位層会員の会員番号を記憶する。なお、記憶部２２３の第２の記憶領域は、集計装置の記憶部の一例である。
【００３８】
通信部２２４は、外部装置との間で通信を行う。なお、通信部２２４は、集計装置の送信部の一例である。
また、集計装置２００は、例えば１日の終わり毎に、記憶部２１３に記憶されている、会員の口座情報や、記憶部２２３の第１の記憶領域に記憶されている、会員の投票、減算等の取引情報等を、会員情報更新に係るデータとして会員管理ＤＢ３００へ送信する。これにより、会員管理ＤＢ３００では、受信したデータに応じて、対応する会員の会員情報が更新される。
【００３９】
会員管理端末装置４００は、表示部４１０、入力部４２０、処理部４３０、記憶部４４０、通信部４５０を含む。
表示部４１０は、会員情報や取引情報などを表示する。
【００４０】
入力部４２０は、管理者による各種入力を受け付ける。例えば、新規に会員登録する会員の会員情報の登録要求に係る入力等を受け付ける。
処理部４３０は、オッズ演算処理部４３１、上位層会員抽出処理部４３２、投票明細照会要求処理部４３３、会員情報登録要求処理部４３４を含み、各種の処理を行う。
【００４１】
オッズ演算処理部４３１は、記憶部４４０の第１の記憶領域に記憶されている、投票時の参考とされ得る上位層会員の条件を満たす会員の会員番号と過日の投票明細データとから、投票端末装置１００により送信された条件別投票動向照会要求信号に含まれる条件を満たす会員の会員番号を抽出し、当該抽出した会員番号に中に含まれる会員番号に対応する投票データを記憶部４４０の第２の記憶領域から読み出し、当該投票データに基づいて上位層会員の投票オッズを算出する。そして、その上位層会員の投票オッズの情報を含む条件別投票動向通知信号を通信部４５０により投票端末装置１００へ送信するように処理を行う。なお、オッズ演算処理部４３１は、会員管理端末装置の算出部の一例である。
【００４２】
上位層会員抽出処理部４３２は、投票明細照会要求処理部４３３による照会要求信号の応答として会員管理ＤＢ３００から受信した通知信号に含まれる全会員の会員番号と過日の投票明細データとから、投票時の参考とされ得る上位層会員の条件を満たす会員の会員番号と過日の投票明細データとを抽出する。ここで、投票時の参考とされ得る上位層会員の条件を満たす会員とは、例えば、投票券の購入年数が所定年数以上（例えば１０年以上）であるという条件、過去の投票における的中率が所定の的中率以上（例えば７０％以上）であるという条件、及び、過去の所定期間（例えば現時点から過去一ヶ月内）における的中金額の合計が所定額以上（例えば１００万円以上）であるという条件、の何れか一つ以上の条件を満たす会員のことである。そして、このようにして抽出した、上位層会員の条件を満たす会員の会員番号と過日の投票明細データとを記憶部４４０の第１の記憶領域に記憶すると共に、上位層会員の条件を満たす会員の会員番号を含む通知信号を通信部４５０により集計装置２００の投票集計部２２０へ送信するように処理を行う。なお、上位層会員抽出処理部４３２は、会員管理端末装置の抽出部の一例である。また、上位層会員抽出処理部４３２と投票明細照会要求処理部４３３は、会員管理端末装置の取得部の一例である。
【００４３】
投票明細照会要求処理部４３３は、全会員の会員番号と過日の投票明細データとの照会要求信号を通信部４５０により会員管理ＤＢ３００へ送信するように処理を行う。
会員情報登録要求処理部４３４は、入力部４２０により受け付けられた、新規に会員登録する会員の会員情報の登録要求に係る入力に応じて、その会員情報を含む登録要求信号を通信部４５０により会員管理ＤＢ３００へ送信するように処理を行う。これにより、会員管理ＤＢ３００では、新規会員の会員情報が登録される。
【００４４】
記憶部４４０は、第１の記憶領域と第２の記憶領域を含む。第１の記憶領域は、上位層会員抽出処理部４３２により抽出された、投票時の参考とされ得る上位層会員の条件を満たす会員の会員番号と過日の投票明細データとを記憶する。第２の記憶領域は、集計装置２００により送信された通知信号に含まれる、会員番号と投票データとを記憶する。但し、集計装置２００により送信された通知信号が、減算データを含む通知信号である場合には、当該通知信号に含まれる会員番号に対応する会員番号と投票データとが第２の記憶領域から削除される。なお、記憶部４４０の第１の記憶領域は、会員管理端末装置の第１の記憶部の一例である。また、記憶部４４０の第２の記憶領域は、会員管理端末装置の第２の記憶部の一例である。
通信部４５０は、外部装置との間で通信を行う。なお、通信部４５０は、会員管理端末装置の第１の送信部と第２の送信部の一例である。
【００４５】
図３Ａ、図３Ｂは、本実施形態に係る投票システムにおいて送信される通信データのデータフォーマットの一例を示す図である。なお、図３Ａ、図３Ｂにおいて、データフォーマット５１０、５３０、５５０については、図面スペースの都合から２段に分けて示している。
【００４６】
図３Ａにおいて、データフォーマット５１０は、会員管理ＤＢ３００から会員管理端末装置４００へ送信される通知信号である、全会員の会員番号と過日の投票明細データとを含む通知信号に含まれる通信データのデータフォーマットの一例である。データフォーマット５１０は、「会員番号」、「氏名」、「明細番号」、「全明細数」、「投票動向明細」を含む。ここで、「全明細数」とは、同一会員の明細の総数を示す。また、「投票動向明細」は、投票明細データを示し、「受付日」、「受付時刻」、「受付内容」、「開催日」、「場」、「レース」、「方式」、「式別」、「組番」、「金額」、「払戻金額」を含む。なお、「場」は場名である。データフォーマット５１０による通信データの具体例については後述する。
【００４７】
データフォーマット５２０は、会員管理端末装置４００から集計装置２００へ送信される通知信号である、投票時の参考とされ得る上位層会員の条件を満たす会員の会員番号を含む通知信号に含まれる通信データのデータフォーマットの一例である。データフォーマット５２０は、「会員番号」、「氏名」、「条件Ａ」、「条件Ｂ」、「条件Ｃ」、・・・を含む。なお、「条件Ａ」、「条件Ｂ」、「条件Ｃ」、・・・は、投票時の参考とされ得る上位層会員の条件を示す。データフォーマット５２０による通信データの具体例についても後述する。
【００４８】
データフォーマット５３０は、投票端末装置１００から集計装置２００へ送信される投票要求信号である、会員の会員番号と投票データとを含む投票要求信号や、集計装置２００から会員管理端末装置４００へ送信される通知信号である、会員の会員番号及び投票データを含む通知信号に含まれる通信データのデータフォーマットの一例である。データフォーマット５３０は、「会員番号」、「投票動向明細」を含む。ここで、「投票動向明細」は、投票データを示し、「受付日」、「受付時刻」、「受付内容」、「開催日」、「場」、「レース」、「方式」、「式別」、「組番」、「金額」を含む。なお、データフォーマット５３０による通信データの具体例についても後述する。
【００４９】
データフォーマット５４０は、投票端末装置１００から会員管理端末装置４００へ送信される条件別投票動向照会要求信号に含まれる通信データのデータフォーマットの一例である。データフォーマット５４０は、「条件Ｘ」、「開催日」を含む。ここで、「条件Ｘ」は、投票端末装置１００において、会員による条件別投票動向照会要求に係る入力に応じて選択された、投票時の参考とされる上位層会員の条件を示す。なお、データフォーマット５４０による通信データの具体例についても後述する。
【００５０】
図３Ｂにおいて、データフォーマット５５０は、会員管理端末装置４００から投票端末装置１００へ送信される条件別投票動向通知信号に含まれる通信データのデータフォーマットの一例である。データフォーマット５５０は、「条件Ｘ」、「開催日」、「ランク１」、「ランク２」、・・・を含む。なお、「ランク１」、「ランク２」、・・・の各々は、投票時の参考とされる上位層会員の投票オッズの人気順を示す。例えば、「ランク１」は一番人気を示す。また、「ランク１」、「ランク２」、・・・の各々は、「場」、「レース」、「方式」、「式別」、「組番」、「オッズ」を含む。なお、データフォーマット５５０による通信データの具体例についても後述する。
【００５１】
次に、本実施形態に係る投票システムの動作について図４乃至図７を用いて説明する。
図４Ａ、図４Ｂ、図４Ｃは、本実施形態に係る投票システムの動作例を示すフローチャートである。図５Ａ、図５Ｂは、本動作例において送信される通信データの一例である。図６及び図７は、本動作例において投票端末装置１００の表示部１１０に表示される表示画面の一例である。
【００５２】
なお、図４Ａ、図４Ｂ、図４Ｃに示したフローチャートにおいて、図４Ａに示すＳ２１乃至Ｓ２４は、競馬の開催前（例えば開催日の早朝等）に行われる動作であり、図４Ｂ、図４Ｃに示すＳ２５以降は、その開催中に行われる動作である。また、図５Ａ、図５Ｂにおいて、通信データ５１１、５３１、５５１については、図面スペースの都合から、上記の図３Ａ、図３Ｂと同様に２段に分けて示している。
【００５３】
図４Ａに示したように、本動作例では、競馬の開催前において、まず、会員管理端末装置４００が、全会員の会員番号と過日の投票明細データとの照会要求信号を、会員管理ＤＢ３００へ送信する（Ｓ２１）。
【００５４】
会員管理ＤＢ３００は、その照会要求信号を受信すると、その応答として、全会員の会員番号と過日の投票明細データとを含む通知信号Ａを会員管理端末装置４００へ送信する（Ｓ２２）。ここで、その通知信号Ａに含まれる通信データは、例えば、図５Ａに示した通信データ５１１である。なお、通信データ５１１は、図３Ａに示したデータフォーマット５１０に応じた通信データである。
【００５５】
会員管理端末装置４００は、その通知信号Ａを受信すると、当該通知信号Ａに含まれる、全会員の会員番号と過日の投票明細データとから、投票時の参考とされ得る上位層会員の条件を満たす会員の会員番号と過日の投票明細データとを抽出する（Ｓ２３）。ここでは、投票時の参考とされ得る上位層会員の条件を満たす会員を、投票券の購入年数が１０年以上であるという条件Ａ、過去の投票における的中率が７０％以上であるという条件Ｂ、及び、現時点から過去一ヶ月内における的中金額の合計が１００万円以上であるという条件Ｃ、の何れか一つ以上の条件を満たす会員であるとする。そして、このようにして抽出した、上位層会員の条件を満たす会員の会員番号と過日の投票明細データとを記憶部４４０の第１の記憶領域に記憶すると共に、上位層会員の条件を満たす会員の会員番号を含む通知信号Ｂを集計装置２００へ送信する（Ｓ２４）。ここで、その通知信号Ｂに含まれる通信データは、例えば、図５Ｂに示した通信データ５２１である。なお、通信データ５２１は、図３Ａに示したデータフォーマット５２０に応じた通信データである。但し、通信データ５２１では、条件を「条件Ａ」、「条件Ｂ」、「条件Ｃ」の３つとしている。通信データ５２１において、「条件Ａ」、「条件Ｂ」、「条件Ｃ」の各々において、「１」は条件に該当することを示し、「０」は条件に該当しないことを示す。例えば、「会員番号」が「２０００００」の「上位三郎」は、「条件Ａ」と「条件Ｃ」に該当するが、「条件Ｂ」には該当しないことを示している。すなわち、「上位三郎」は、投票券の購入年数が１０年以上であるという条件Ａと現時点から過去一ヶ月内における的中金額の合計が１００万円以上であるという条件Ｃとを満たすが、過去の投票における的中率が７０％以上であるという条件Ｂを満たさない、という上位層会員であることを示している。
【００５６】
集計装置２００は、その通知信号Ｂを受信すると、当該通知信号Ｂに含まれる、上位層会員の条件を満たす会員の会員番号を、記憶部２２３の第２の記憶領域に記憶する。
その後、競馬の開催が開始され、図４Ｂに示したように、競馬の開催中において、例えば、投票券の購入年数が１０年以上の会員Ｘ１が、投票端末装置１００に対して、投票要求に係る入力を行うと（Ｓ２５）、投票端末装置１００は、その入力に応じて、会員Ｘ１の会員番号と投票内容を示す投票データとを含む投票要求信号Ｃ１を集計装置２００へ送信する（Ｓ２６）。ここで、その投票要求信号Ｃ１に含まれる通信データは、例えば、図５Ｂに示した通信データ５３１である。なお、通信データ５３１は、図３Ａに示したデータフォーマット５３０に応じた通信データである。
【００５７】
集計装置２００は、その投票要求信号Ｃ１を受信すると、当該投票要求信号Ｃ１に含まれる会員番号が、記憶部２２３の第２の記憶領域に記憶されている、投票時の参考とされ得る上位層会員の会員番号の中に含まれているか否かを判定する（Ｓ２７）。ここでは、会員Ｘ１が、投票券の購入年数が１０年以上の会員であるので、投票要求信号Ｃ１に含まれる会員番号は、上記の通知信号Ｂに含まれる会員番号の中に含まれていたことになり、記憶部２２３の第２の記憶領域に記憶されている会員番号の中に含まれていることになる。なお、図５Ｂに示したように、投票要求信号Ｃ１に含まれる通信データ５３１における会員番号「２０００００」は、通知信号Ｂに含まれる通信データ５２１における会員番号の中に含まれている。また、ここでは、投票要求信号Ｃ１に対する、投票処理部２２２ａによる投票可否の判定結果が投票可の判定結果であったとする。従って、集計装置２００は、投票要求信号Ｃ１に含まれる会員番号及び投票データを含む通知信号Ｄを会員管理端末装置４００へ送信する（Ｓ２８）。ここで、その通知信号Ｄに含まれる通信データは、例えば、図５Ｂに示した通信データ５３１と同様となる。
【００５８】
会員管理端末装置４００は、その通知信号Ｄを受信すると、当該通知信号Ｄに含まれる、会員番号と投票データとを、記憶部４４０の第２の記憶領域に記憶する（Ｓ２９）。
このように、競馬の開催中においては、会員による投票が行われる毎に、上記のＳ２６及びＳ２７と同様の処理が行われ、投票した会員が上位層会員に含まれる等していれば、更に上記のＳ２８及びＳ２９と同様の処理が行われ、会員管理端末装置４００の記憶部４４０の第２の記憶領域には、投票した上位層会員の会員番号と投票データとが蓄積されていく。
【００５９】
その後、例えば会員Ａ１が、投票時に、投票券の購入年数が１０年以上の上位層会員の投票を参考にしたいので、投票端末装置１００に対して、投票時の参考とする上位層会員の条件として、上記の条件Ａ、条件Ｂ、条件Ｃの中から条件Ａ（投票券の購入年数が１０年以上であるという条件）を選択する等の条件別投票動向照会要求に係る入力を行うとする（Ｓ３０）。なお、投票端末装置１００は、会員が、所定の入力操作を行うことによって投票時の参考とする上位層会員の条件として上記の条件Ａ、条件Ｂ、条件Ｃの中の一つ以上を選択することができるように、構成されている。また、投票端末装置１００は、会員が、後に所定の入力操作を行うことによって投票時の参考とする上位層会員の条件を変更することもできるように、構成されている。
【００６０】
このように会員Ａ１が条件Ａを選択する等の条件別投票動向照会要求に係る入力を行うと、投票端末装置１００は、その入力に応じて、投票時の参考とされる上位層会員の条件として条件Ａを選択し、当該条件Ａを含む条件別投票動向照会要求信号Ｅ１を会員管理端末装置４００へ送信する（Ｓ３１）。ここで、その条件別投票動向照会要求信号Ｅ１に含まれる通信データは、例えば、図５Ｂに示した通信データ５４１である。なお、通信データ５４１は、図３Ａに示したデータフォーマット５４０に応じた通信データである。
【００６１】
会員管理端末装置４００は、その条件別投票動向照会要求信号Ｅ１を受信すると、記憶部４４０の第１の記憶領域に記憶されている、投票時の参考とされ得る上位層会員の条件を満たす会員の会員番号と過日の投票明細データとから、条件別投票動向照会要求信号Ｅ１に含まれる条件Ａを満たす上位層会員の会員番号を抽出し、当該抽出した会員番号の中に含まれる会員番号に対応する投票データを記憶部４４０の第２の記憶領域から読み出し、当該投票データに基づいて条件Ａを満たす上位層会員の投票オッズを算出する。そして、その上位層会員の投票オッズの情報を含む条件別投票動向通知信号Ｆ１を投票端末装置１００へ送信する（Ｓ３２）。ここで、その条件別投票動向通知信号Ｆ１に含まれる通信データは、例えば、図５Ｂに示した通信データ５５１である。なお、通信データ５５１は、図３Ｂに示したデータフォーマット５５０に応じた通信データである。通信データ５５１では、「場」、「レース」、「方式」、「式別」の組み合わせが異なるもの毎に、条件Ａを満たす上位層会員の投票オッズのデータが人気順に並べられる。
【００６２】
投票端末装置１００は、その条件別投票動向通知信号Ｆ１を受信すると、当該条件別投票動向通知信号Ｆ１に含まれる、条件Ａを満たす上位層会員の投票オッズの情報を、投票時の参考とされる上位層会員の投票動向に係る情報として、記憶部１４０に記憶する。
【００６３】
その後、会員Ａ１が、投票端末装置１００に対する、投票要求（投票券の購入要求）に係る入力において、例えば、場名として「●●場」を、レースとして「１レース」を、方式として「通常」を、式別として「３連単」を選択するための入力を行うと（Ｓ３３）、投票端末装置１００は、その入力に応じて、記憶部１４０に記憶されている、投票時の参考とされる上位層会員（ここでは条件Ａを満たす上位層会員）の投票動向に係る情報に基づいて、条件Ａを満たす上位層会員の「●●場」、「１レース」、「通常」、「３連単」における投票オッズの情報を人気順に並べて表示部１１０に表示する（Ｓ３４）。これにより、会員Ａ１は、条件Ａを満たす上位層会員の投票動向を入手することができ、それを参考に投票することができる。
【００６４】
その後、図４Ｃに示したように、会員Ａ１が、例えば、表示部１１０に表示されている、上位層会員の投票オッズの情報を最新の情報に更新したいので、投票端末装置１００に対して、それを更新するための入力を行うと（Ｓ３５）、投票端末装置１００は、その入力に応じて、再び、上記のＳ３１と同様に、条件Ａを含む条件別投票動向照会要求信号Ｅ２を会員管理端末装置４００へ送信する（Ｓ３６）。
【００６５】
会員管理端末装置４００は、その条件別投票動向照会要求信号Ｅ２を受信すると、再び、上記のＳ３２と同様に、当該条件別投票動向照会要求信号Ｅ２に含まれる条件Ａを満たす上位層会員の会員番号に対応する投票データを記憶部４４０の第２の記憶領域から読み出し、当該投票データに基づいて条件Ａを満たす上位層会員の投票オッズを算出し、その上位層会員の投票オッズの情報を含む条件別投票動向通知信号Ｆ２を投票端末装置１００へ送信する（Ｓ３７）。なお、Ｓ３２の時点からＳ３７の時点までに、条件Ａを満たす上位層会員による新たな投票要求や減算要求があると、Ｓ３７の時点において、記憶部４４０の第２の記憶領域に記憶されている、条件Ａを満たす上位層会員の投票データが、Ｓ３２の処理の時点に比べて増減している場合がある。このような場合には、Ｓ３２で送信された条件別投票動向通知信号Ｆ１に含まれていた上位層会員の投票オッズの情報に対して、Ｓ３７で送信される条件別投票動向通知信号Ｆ２に含まれる上位層会員の投票オッズの情報が更新されることになる。
【００６６】
投票端末装置１００は、その条件別投票動向通知信号Ｆ２を受信すると、再び、当該条件別投票動向通知信号Ｆ２に含まれる、条件Ａを満たす上位層会員の投票オッズの情報を、投票時の参考とされる上位層会員の投票動向に係る情報として、記憶部１４０に記憶する。なお、以前に記憶部１４０に記憶されていた、投票時の参考とされる上位層会員の投票動向に係る情報は削除される。そして、新たに記憶部１４０に記憶された、投票時の参考とされる上位層会員（ここでは条件Ａを満たす上位層会員）の投票動向に係る情報に基づいて、再び、条件Ａを満たす上位層会員の「●●場」、「１レース」、「通常」、「３連単」における投票オッズの情報を人気順に並べて表示部１１０に表示する。これにより、表示部１１０に表示されていた、上位層会員の投票オッズの情報が最新の情報に更新される。従って、会員Ａ１は、条件Ａを満たす上位層会員の投票動向をリアルタイムに入手することができ、それを参考に投票することができる。
【００６７】
その後、会員Ａ１が、例えば、レースを「１レース」から「２レース」へ変更したいので、投票端末装置１００に対し、それを変更するための入力を行うと（Ｓ３８）、投票端末装置１００は、Ｓ３４と同様に、その入力に応じて、記憶部１４０に記憶されている、投票時の参考とされる上位層会員（ここでは条件Ａを満たす上位層会員）の投票動向に係る情報に基づいて、条件Ａを満たす上位層会員の「●●場」、「２レース」、「通常」、「３連単」における投票オッズの情報を人気順に並べて表示部１１０に表示する（Ｓ３９）。これにより、会員Ａ１は、レースを「１レース」から「２レース」へ変更した後の、条件Ａを満たす上位層会員の投票動向を入手することができ、それを参考に投票することができる。
【００６８】
ここで、会員Ａ１が、例えば、表示部１１０に表示されている、上位層会員の投票オッズの情報に含まれる一番人気の組番である「３−２−１」を選択する等の投票要求に係る入力を行うと（Ｓ４０）、投票端末装置１００は、その入力に応じて、会員Ａ１の会員番号と投票内容（場名が「●●場」、レースが「２レース」、方式が「通常」、式別が「３連単」、組番が「３−２−１」等）を示す投票データとを含む投票要求信号Ｃ２を集計装置２００へ送信する（Ｓ４１）。これにより、会員Ａ１の投票が行われる。
【００６９】
なお、本動作では、会員は、投票端末装置１００に対する所定の入力操作を行うことにより、上記のＳ３０の条件別投票動向照会要求に係る入力において選択した投票時の参考とする上位層会員の条件を変更することも勿論可能である。この場合には、変更された条件に応じて、上記のＳ３１、Ｓ３２等と同様の処理が行われる。
【００７０】
図６は、上記のＳ３４の処理が終了した時点で投票端末装置１００の表示部１１０に表示された表示画面の一例である。すなわち、図６は、会員Ａ１による投票要求に係る入力において、上記のＳ３３の説明にあるように、場名として「●●場」を、レースとして「１レース」を、方式として「通常」を、式別として「３連単」を選択するための入力が行われて、次に、組番と金額の入力が行われる際の表示画面の一例である。
なお、本例では、表示部１１０にタッチパネルが設けられているものとし、会員は、表示部１１０の表示画面上をタッチすることによって各種の入力が可能になっている。
【００７１】
図６に示したように、表示画面６００の投票オッズ情報表示領域６３１には、条件Ａ（投票券の購入年数が１０年以上という条件）を満たす上位層会員の「●●場」、「１レース」、「通常」、「３連単」における投票オッズの情報が人気順に並べて表示される。
【００７２】
この投票オッズ情報表示領域６３１では、会員Ａ１は、対応する「購入する」ボタン６３１ａ、６３１ｂ、又は６３１ｃにタッチすることによって、「１番人気」、「２番人気」、又は「３番人気」の組番を選択し投票することができる。また、会員Ａ１は、「更新」ボタン６３１ｄにタッチすることによって、上記のＳ３５の説明にあるように、投票オッズ情報表示領域６３１に表示されている、条件Ａを満たす上位層会員の投票オッズの情報を最新の情報に更新することができる。ここで、「更新」ボタン６３１ｄは、投票端末装置の更新部の一例である。
【００７３】
なお、この表示画面６００は、投票要求に係る入力において表示部１１０に表示される表示画面であって、入力項目選択領域６１０、メッセージ表示領域６２０、入力領域６３０、残金表示領域６４０を有する。
【００７４】
入力項目選択領域６１０は、会員が入力項目を選択する領域であって、選択可能な入力項目に対応して、「場名」ボタン６１１、「レース」ボタン６１２、「方式」ボタン６１３、「式別」ボタン６１４、「組番・金額」ボタン６１５、「購入内容確認」ボタン６１６を有する。会員は、これらのボタンの何れかにタッチすることによって、所望の項目の入力が可能になる。図６に示した例では、会員Ａ１が「組番・金額」ボタン６１５にタッチしたことによって、組番・金額の入力が可能になっている。また、会員が入力を終えた項目に対応するボタンには、会員の入力結果が表示される。図６に示した例では、会員Ａ１が入力を終えた項目に対応する「場名」ボタン６１１、「レース」ボタン６１２、「方式」ボタン６１３、「式別」ボタン６１４には、会員Ａ１の入力結果である「●●」、「１」、「通常」「３連単」が表示されている。
【００７５】
メッセージ表示領域６２０は、入力項目選択領域６１０において会員により選択された入力項目に応じて、メッセージを表示する。図６に示した例では、会員Ａ１が「組番・金額」ボタン６１５をタッチしたことによって、「組番・金額を選んで下さい。」というメッセージが表示されている。
【００７６】
入力領域６３０は、入力項目選択領域６１０において会員により選択された入力項目に応じて、入力に使用するボタン等を表示する。会員は、これらのボタンにタッチすることによって、選択した項目に応じた入力が可能になる。図６に示した例では、会員Ａ１が「組番・金額」ボタン６１５をタッチしたことによって、組番・金額の入力に使用されるボタン（上記の投票オッズ情報表示領域６３１内のボタンを含む）等が表示されている。
【００７７】
残金表示領域６４０は、会員の口座情報に基づく残金を表示する。
図７は、図６に示した表示画面において、式別が変更されたときの表示画面の一例である。すなわち、図７は、図６に示した表示画面６００において、会員Ａ１が式別を「３連単」から「馬連」に変更するために、会員Ａ１により「式別」ボタン６１４がタッチされて「馬連」を選択するための入力が行われ、再び、「組番・金額」ボタン６１５がタッチされたときの表示画面の一例である。
【００７８】
図７に示したように、この場合には、表示画面６００の投票オッズ情報表示領域６３１には、条件Ａ（投票券の購入年数が１０年以上という条件）を満たす上位層会員の「●●場」、「１レース」、「通常」、「馬連」における投票オッズの情報が人気順に並べて表示される。なお、これに係る処理は、上記のＳ３８及びＳ３９の説明で述べたレースが変更される場合の処理と同様に行われる。
【００７９】
この投票オッズ情報表示領域６３１では、会員Ａ１は、対応する「購入する」ボタン６３１ａ、６３１ｂ、又は６３１ｃにタッチすることによって、式別を変更した後の「１番人気」、「２番人気」、又は「３番人気」の組番を選択し投票することができる。また、会員Ａ１は、「更新」ボタン６３１ｄにタッチすることによって、上記のＳ３５の説明にあるように、投票オッズ情報表示領域６３１に表示されている、式別を変更した後の、条件Ａを満たす上位層会員の投票オッズの情報を最新の情報に更新することができる。
【００８０】
以上のように、本実施形態に係る投票システムによれば、会員による投票端末装置１００に対する入力操作に応じて、当該会員が選択した条件を満たす上位層会員の投票オッズの情報を当該会員に提供することができると共に、そのような情報を当該会員にリアルタイムに提供することができる。従って、会員は、所望の条件を満たす上位層会員の投票オッズの情報を入手することができると共に、そのような情報をリアルタイムに入手することができ、それを参考に投票を行うことができる。
【００８１】
なお、本実施形態に係る投票システムにおいて、投票端末装置１００、集計装置２００、集計装置２００の口座情報管理部２１０、集計装置２００の投票集計部２２０、会員管理端末装置４００の各々は、例えば、次のようなコンピュータシステムによって実現することができる。
【００８２】
図８は、そのコンピュータシステムの構成例を示す図である。
図８に示したように、このコンピュータシステムは、ＣＰＵ（Central Processing Unit）７０１、ＲＯＭ（Read Only Memory）７０２、ＲＡＭ（Random Access Memory）７０３、通信インタフェース７０４、記憶装置７０５、入出力装置７０６、可搬型記憶媒体の読取り装置７０７、及び、これらの全てが接続されたバス７０８を含む。
【００８３】
記憶装置７０５としては、ハードディスクや磁気ディスクなど様々な形式の記憶装置を使用することができる。記憶装置７０５又はＲＯＭ７０２に、対応する装置（投票端末装置１００、集計装置２００、集計装置２００の口座情報管理部２１０、集計装置２００の投票集計部２２０、又は会員管理端末装置４００）が行う動作（例えば図４Ａ、図４Ｂ、図４Ｃに示したフローチャートにおいて対応する装置が行う動作）のためのプログラム等が記憶される。また、記憶装置７０５又はＲＯＭ７０２に、対応する装置の記憶部に記憶される情報等も記憶される。そして、そのプログラムがＣＰＵ７０１によって実行されることにより、対応する装置の処理部が実現される。
【００８４】
このようなプログラムは、プログラム提供者端末７０９からネットワーク７１０、および通信インタフェース７０４を介して、例えば記憶装置７０５に格納されて、ＣＰＵ７０１によって実行されることも可能である。なお、通信インタフェース７０４は、対応する装置の通信部や、対応する装置の受信部に対応する。また、そのようなプログラムは、市販され、流通している可搬型記憶媒体７１１に格納され、読取り装置７０７にセットされて、ＣＰＵ７０１によって実行されることも可能である。可搬型記憶媒体７１１としてはＣＤ−ＲＯＭ、フレキシブルディスク、光ディスク、光磁気ディスク、ＤＶＤディスク、ＵＳＢメモリなど様々な形式の記憶媒体を使用することができる。
【００８５】
入出力装置７０６は、例えばキーボード、ポインティングデバイス、タッチパネル等の入力装置と、例えばディスプレイ、プリンタ、スピーカ等の出力装置を含み、対応する装置の入力部及び表示部に対応する。
【００８６】
以上、実施形態を説明したが、本発明は、上述した実施形態に限定されることなく、本発明の要旨を逸脱しない範囲内で種々の改良・変更が可能である。
【符号の説明】
【００８７】
１００      投票端末装置
１１０      表示部
１２０      入力部
１３０      処理部
１３１      投票要求処理部
１３２      減算要求処理部
１３３      口座照会要求処理部
１３４      取引明細照会要求処理部
１３５      条件別投票動向照会要求処理部
１４０      記憶部
１５０      通信部
２００      集計装置
２１０      口座情報管理部
２１１      金額情報受信部
２１２      処理部
２１２ａ    口座更新処理部
２１３      記憶部
２１４      通信部
２２０      投票集計部
２２１      投票／減算要求受信部
２２２      処理部
２２２ａ    投票処理部
２２２ｂ    減算処理部
２２２ｃ    会員番号比較処理部
２２３      記憶部
２２４      通信部
３００      会員管理ＤＢ
４００      会員管理端末装置
４１０      表示部
４２０      入力部
４３０      処理部
４３１      オッズ演算処理部
４３２      上位層会員抽出処理部
４３３      投票明細照会要求処理部
４３４      会員情報登録要求処理部
４４０      記憶部
４５０      通信部
５１０、５２０、５３０、５４０、５５０  データフォーマット
５１１、５２１、５３１、５４１、５５１  通信データ
６００      表示画面
６１０      入力項目選択領域
６１１、６１２、６１３、６１４、６１５、６１６  ボタン
６２０      メッセージ表示領域
６３０      入力領域
６３１      投票オッズ情報表示領域
６３１ａ、６３１ｂ、６３１ｃ、６３１ｄ  ボタン
６４０      残金表示領域
７０１      ＣＰＵ
７０２      ＲＯＭ
７０３      ＲＡＭ
７０４      通信インタフェース
７０５      記憶装置
７０６      入出力装置
７０７      可搬型記憶媒体の読取り装置
７０８      バス
７０９      プログラム提供者端末
７１０      ネットワーク
７１１      可搬型記憶媒体
【図１】
0005706272.tif 000002
【図２】
0005706272.tif 000003
【図３Ａ】
0005706272.tif 000004
【図３Ｂ】
0005706272.tif 000005
【図４Ａ】
0005706272.tif 000006
【図４Ｂ】
0005706272.tif 000007
【図４Ｃ】
0005706272.tif 000008
【図５Ａ】
0005706272.tif 000009
【図５Ｂ】
0005706272.tif 000010
【図６】
0005706272.tif 000011
【図７】
0005706272.tif 000012
【図８】
0005706272.tif 000013